(57)【要約】【課題】タモ枠が装着されたまま柄本体と共にコンパクトに収納することができ、且つ所望時にタモ枠が柄本体から自在に取り外されるタモ枠連結具の提供。【解決手段】固定部材２４が柄本体２３に固定され、着脱部材２５がタモ枠１４に固定される。着脱部材２５は、固定部材２４に対して矢印２６の方向に沿ってスライドされる。タモ枠は、柄本体２３から外方へ突出する姿勢、又は、柄本体２３に沿う姿勢に配置される。固定部材２４と着脱部材２５とのスライド機構は、固定部材２４に設けられた嵌合片２８と着脱部材２５に設けられた溝３８とを有する。両者は、所定のはめあいにより嵌合する。【選択図】　図１
2004081141.tif 000002
【特許請求の範囲】
【請求項１】
タモの柄の柄本体に装着される固定部材と、
タモ枠に装着され、固定部材に対して着脱自在に設けられた着脱部材と、
上記タモ枠が上記柄本体の先端から軸方向外方へ突出する突出姿勢又は上記柄本体に沿って先端から後方側へ延びる収納姿勢となるように上記着脱部材を保持する保持機構とを備えているタモ枠連結具。
【請求項２】
上記固定部材は、上記柄本体の中心軸に沿って後端側から先端側に向かって形成されたスライドベースを備え、
上記着脱部材は、上記スライドベースに対してスライド自在に係合されるスライダを有し、
上記保持機構は、上記スライドベース及びスライダにより構成されている請求項１記載のタモ枠連結具。
【請求項３】
上記スライドベースは、上記柄本体の軸方向に沿って形成された嵌合片により構成され、
上記スライダは、上記嵌合片に嵌合する溝により構成されており、
上記嵌合片と溝とは、両者間に所定の摩擦力が生じるように所定のはめあいにより嵌合される請求項２記載のタモ枠連結具。
【請求項４】
上記スライドベースは、上記柄本体の中心軸から径方向に所定距離離れた位置に配設されている請求項３記載のタモ枠連結具。
【請求項５】
着脱部材を固定部材に固定するロック機構がさらに備えられている請求項１ないし４のいずれかに記載のタモ枠連結具。
【請求項６】
柄本体と、
柄本体に装着された固定部材と、
タモ枠が支持され、固定部材に対して着脱自在に設けられた着脱部材と、
タモ枠が支持された状態でタモ枠が上記柄本体の先端から軸方向外方へ突出する突出姿勢又は上記柄本体に沿って先端から後方側へ延びる収納姿勢となるように上記着脱部材を保持する保持機構とを備えているタモの柄。
【請求項７】
網が装着されるタモ枠と、
タモ枠に装着された着脱部材と、
タモ枠が取り付けられるタモの柄の柄本体に装着され、着脱部材が着脱可能に取り付けられる固定部材と、
タモ枠が上記柄本体の先端から軸方向外方へ突出する突出姿勢又は上記柄本体に沿って先端から後方側へ延びる収納姿勢となるように上記着脱部材を保持する保持機構とを備えているタモ。
【発明の詳細な説明】
【０００１】
【発明の属する技術の分野】
この発明は、魚釣りに使用される陸揚用すくい上げ具に適用されるタモ連結具に関するものである。このタモ網連結具は、タモ及びタモの柄からなる陸揚用すくい上げ具において、タモとタモの柄とを連結するものである。
【０００２】
【従来の技術及び発明が解決しようとする課題】
例えば磯釣りにおいては、魚が掛かったときに、釣人は、水面まで魚を浮かせた後、タモを用いて当該魚をすくって取り込む。タモは、通常、「タモの柄」と称される部材の先端に装着されて使用される。
図８は、タモとタモの柄との取付関係を示す図である。同図が示すように、タモ１は、タモの柄の柄本体２に取り付けられる。柄本体２は、一般に長手方向（軸方向）に伸縮自在となっており、使用されるときは伸長され、携帯されるときはコンパクトに縮短されるようになっている。
タモ１は、タモ枠３と、タモ枠３に取り付けられた網４とを有する。タモ枠３には、ねじが形成された係合部５が設けられており、この係合部５が柄本体２の先端部にねじ込まれることにより、タモ１がタモの柄に固定される。なお、タモ１が使用されないときは、タモ１はタモの柄から取り外される。
【０００３】
従来のタモ枠３は、前述のようにして柄本体２に取り付けられて使用されるから、釣人は、釣りを始める際に、また釣りを終える際に、タモ枠３を柄本体２に対して着脱しなければならないが、この作業は非常に煩わしいものである。また、タモ１が使用されないときは、タモ枠３が柄本体２から取り外されるから、釣人は、タモ１とタモの柄の双方を携帯しなければならない。
この不都合が解消されるために、タモ枠３が常時柄本体２に固定されている構造が考えられる。しかし、これでは、柄本体２が縮短された状態であっても、柄本体２にタモ１が取り付けられたままであり、全体の寸法が大きくなって携帯に不便となる。
【０００４】
また、従来では、タモ枠をタモの柄に対して折り畳むことができる構造が提案されている（例えば、特許文献１参照）。しかし、タモ枠がタモの柄に対して折り畳まれるのみでは、釣人は、タモ枠をタモの柄から取り外すことができず、不便な場合も多い。
さらに、従来のタモ枠３は、柄本体２の中心軸線上に取り付けられるから、図９が示すように、釣人が魚をすくうときには、柄本体２の先端部が水中Ｗに大きく突っ込まれる。そのため、柄本体２が水による大きな抵抗力を受けて、釣人はタモの柄を操作しにくくなる。
【０００５】
【特許文献１】
実開昭５８−１８５０７１号公報　（第７図）
【０００６】
本発明はかかる背景のもとになされたものであって、その第１の目的は、タモ枠が装着されたまま柄本体と共にコンパクトに収納することができ、しかも所望時にタモ枠が柄本体から自在に取り外されるタモ枠連結具を提供することである。また、本発明の第２の目的は、柄本体が大きな水の抵抗を受けることのないように柄本体にタモ枠を連結するタモ枠連結具を提供することである。
【０００７】
【課題を解決するための手段】
（１）　本願発明者は、タモは、タモの柄に取り付けられて使用されるものであるところ、上記目的を達成するためには、タモ枠と柄本体との新たな着脱自在な連結構造を実現することが必要であると考えた。
【０００８】
（２）　そこで、上記第１の目的を達成するため、本願に係るタモ枠連結具は、タモの柄の柄本体に装着される固定部材と、タモ枠に装着され、固定部材に対して着脱自在に設けられた着脱部材と、上記タモ枠が上記柄本体の先端から軸方向外方へ突出する突出姿勢又は上記柄本体に沿って先端から後方側へ延びる収納姿勢となるように上記着脱部材を保持する保持機構とを備えていることを特徴とするものである。
【０００９】
この構成によれば、着脱部材はタモ枠に装着され、この着脱部材が固定部材に着脱自在に設けられる。また、固定部材は、柄本体に装着される。したがって、タモ枠は、着脱部材と共に固定部材に対して着脱される。つまり、タモ枠は、柄本体に対して自在に着脱される。
しかも、保持機構によって、着脱部材は、タモ枠が上記突出姿勢又は収納姿勢でとなるように保持される。すなわち、タモ枠は、柄本体の先端から軸方向外方へ突出するように配置され、また、柄本体に沿って先端から後方側へ延びるように配置されることもできる。
【００１０】
（３）　上記固定部材は、上記柄本体の中心軸に沿って後端側から先端側に向かって形成されたスライドベースを備え、上記着脱部材は、上記スライドベースに対してスライド自在に係合されるスライダを有し、上記保持機構は、上記スライドベース及びスライダにより構成される。
【００１１】
この構成では、固定部材のスライドベースに対して着脱部材のスライダが係合することができる。すなわち、着脱部材は、固定部材に対してスライドすることによって着脱される。したがって、タモ枠が装着された着脱部材が固定部材に対してその後端側から先端側へ向かう方向へスライドされて係合されることにより、タモ枠が上記突出姿勢となる。
また、この状態から着脱部材が上記方向と逆方向へスライドされることにより、着脱部材と固定部材との係合は一旦外される。そして、タモ枠の向きが変更された状態で再び着脱部材が固定部材に対してスライドされて係合されると、タモ枠が上記収納姿勢となる。このように、着脱部材の固定部材に対するスライド動作のみによって、タモ枠の姿勢はきわめて簡単に変更される。
【００１２】
（４）　上記スライドベースは、上記柄本体の軸方向に沿って形成された嵌合片により構成され、上記スライダは、上記嵌合片に嵌合する溝により構成されており、上記嵌合片と溝とは、両者間に所定の摩擦力が生じるように所定のはめあいにより嵌合される。
【００１３】
この構成では、スライドベース及びスライダが、嵌合片及び溝により構成されるから、上記保持機構はきわめて簡単な構造である。したがって、保持機構が安価に構成され、しかも故障等の発生が抑えられるという利点がある。
また、嵌合片及び溝間に、所定のはめあいが形成され、着脱部材が所定の摩擦力により固定部材に保持されることになる。したがって、着脱部材を保持するための所要の保持力が簡単に得られるという利点がある。
【００１４】
（５）　上記スライドベースは、上記柄本体の中心軸から径方向に所定距離離れた位置に配設されているのが好ましい。
この構成では、着脱部材は、柄本体の中心軸から径方向に所定距離離れた位置に配置される。すなわち、タモ枠は、柄本体の中心軸から所定距離オフセットされる。
【００１５】
（６）　着脱部材を固定部材に固定するロック機構がさらに備えられていてもよい。
この構成では、ロック機構により着脱部材がロックされるから、不用意にタモ枠が柄本体から外れることはない。
【００１６】
（７）　また、上記目的を達成するため、上記タモ枠連結具を備えたタモの柄及びタモが構成される。
すなわち、柄本体と、柄本体に装着された固定部材と、タモ枠が支持され、固定部材に対して着脱自在に設けられた着脱部材と、タモ枠が支持された状態でタモ枠が上記柄本体の先端から軸方向外方へ突出する突出姿勢又は上記柄本体に沿って先端から後方側へ延びる収納姿勢となるように上記着脱部材を保持する保持機構とを備えているタモの柄が構成される。
【００１７】
このタモの柄によれば、柄本体に装着された固定部材に着脱部材が着脱自在に設けられ、この着脱部材には、タモ枠が装着される。したがって、このタモの柄には、着脱部材と共にタモ枠が着脱自在に取り付けられる。
しかも、保持機構によって、着脱部材は、タモ枠が上記突出姿勢又は収納姿勢となるように保持される。すなわち、タモ枠は、柄本体の先端から軸方向外方へ突出するように配置され、また、柄本体に沿って先端から後方側へ延びるように配置されることもできる。
【００１８】
（８）　また、網が装着されるタモ枠と、タモ枠に装着された着脱部材と、タモ枠が取り付けられるタモの柄の柄本体に装着され、着脱部材が着脱可能に取り付けられる固定部材と、タモ枠が上記柄本体の先端から軸方向外方へ突出する突出姿勢又は上記柄本体に沿って先端から後方側へ延びる収納姿勢となるように上記着脱部材を保持する保持機構とを備えているタモが構成される。
【００１９】
このタモによれば、タモ枠に装着された着脱部材が固定部材に着脱自在に設けられる。この固定部材は、タモの柄の柄本体に装着される。したがって、タモ枠は、着脱部材と共に柄本体に着脱自在に取り付けられる。
しかも、保持機構によって、着脱部材は、タモ枠が上記突出姿勢又は収納姿勢となるように保持される。すなわち、タモ枠は、柄本体の先端から軸方向外方へ突出するように配置され、また、柄本体に沿って先端から後方側へ延びるように配置されることもできる。
【００２０】
【発明の実施の形態】
以下、適宜図面が参照されつつ、好ましい実施形態に基づいて本発明が詳細に説明される。
【００２１】
図１は、本発明の一実施形態に係る陸揚用すくい上げ具１０の分解斜視図である。
この陸揚用すくい上げ具１０は、タモ１１と、タモの柄１２と、タモの柄１２に対してタモ１１を連結するための連結具１３（タモ連結具）とを備えている。タモ１１は、タモの柄１２の先端部に連結されている。陸揚用すくい上げ具１０は、例えば磯釣りの際に、釣人がタモの柄１２を把持して操作することによって、掛かった魚をタモ１１ですくうためのものである。
【００２２】
本実施形態の特徴とするところは、陸揚用すくい上げ具１０が上記連結具１３を備えており、これによって、タモ１１がタモの柄１２に対して簡単な操作で自在に着脱することができるようになっており、しかも、陸揚用すくい上げ具１０が使用されるときは、タモ１１がタモの柄１２の先端から外方に突出するように取り付けられ、陸揚用すくい上げ具１０が使用されないときは、タモの柄１２に沿ってコンパクトに収納されるようになっている点である。
【００２３】
タモ１１は、略円形に形成されたタモ枠１４と網１５とを有する。これらタモ枠１４及び網１５は、従来から提供されている構造を備えている。
タモ枠１４は、基部１６と環状部１７とを有する。基部１６は、本実施形態では、図１が示すように略Ｔ字状に形成されており、環状部１７の両端部が基部１６の右側及び左側に連結されている。基部１６は、取付軸１８を有している。この取付軸１８は、細長の円柱状に形成されている。
【００２４】
網１５は、従来と同様の構成であり、ナイロン糸等の糸部材により編み上げられて構成されている。網１５は、図１が示すように、上端側に大径の開口部３２を有し、全体として袋状に形成されている。そして、網１５は、開口部３２の周縁部を構成する糸部材が上記環状部１７に引っ掛けられることにより、タモ枠１４につり下げられた状態で取り付けられている。
【００２５】
タモの柄１２は、従来から提供されている構造を備えている。すなわち、タモの柄１２は、いわゆる振出式に形成された竿部材であって、本実施形態では、４本の細長円筒状部材１９〜２２から構成されている。これら各細長円筒状部材１９〜２２は、タモの柄１２の柄本体２３を構成する。各円筒状部材１９〜２２は、それぞれ、第１番節、第２番節、第３番節及び第４番節と称される。各節１９〜２２は、一般に所定形状に裁断されたカーボンプリプレグが筒状に巻回されて形成される。
【００２６】
第１番節１９〜第４番節２２の外径は、順次大きくなるように形成されており、第１番節１９が第２番節２０の内部に引出自在に挿入され、第２番節２０が第３番節２１の内部に引出自在に挿入されている。第３番節２１と第４番節２２との関係も同様である。したがって、第４番節２２から第１〜第３番節１９〜２１がそれぞれ振り出されることによって柄本体２３が伸長し、また、第４番節２２に第１〜第３番節１９〜２１が収納されることによって柄本体２３が縮短する。
【００２７】
なお、図示されていないが、第１番節１９の先端面には、雌ねじが形成されたねじ穴が形成されている。このねじ穴の呼び径等は規格化されている。
ここで、一般論として、タモ枠側にも規格化された雄ねじ部が形成されており、この雄ねじ部がタモの柄側に設けられたねじ穴にねじ込まれることによって、タモがタモの柄に装着されるようになっている。
本実施形態においても、上記ねじ穴に、タモ枠に形成された雄ねじ部が螺合することができるようになっている。したがって、上記タモ枠１４の取付軸１８に規格に従った雄ねじが形成されることにより、取付軸１８が上記ねじ穴に螺合することができるようになっている。
ただし、本実施形態では、取付軸１８に上記雄ねじが形成されていなくてもよく、また、第１番節１９に上記ねじ穴が設けられていなくてもよい。
【００２８】
次に、連結具１３は、固定部材２４と着脱部材２５とを備えている。
固定部材２４は、柄本体２３の第１番節１９の先端部に装着され、固定されている。また、着脱部材２５は、タモ枠１４の取付軸１８に装着され、固定されている。
着脱部材２５は、矢印２６の方向（柄本体２３の軸方向）に沿ってスライドされることにより、固定部材２４に対して着脱されるようになっている。
【００２９】
図２は、固定部材２４の正面図であり、図３は左側面図である。
固定部材２４は、金属や合成樹脂等により構成されており、全体として直方体状に形成されている。
固定部材２４の略中央部には、貫通孔２７が設けられている。上記第１番節１９の先端部は、この貫通孔２７に挿通され、固定部材２４が第１番節１９に固着されている。なお、両者は、例えば接着剤等により固着されている。
【００３０】
固定部材２４の下面中央に、略逆Ｔ字状の嵌合片２８（スライドベース）が形成されている。この嵌合片２８は、図が示すように、凸条として形成されている。この嵌合片２８は、上記貫通孔２７の方向に沿って形成されており、したがって、嵌合片２８は、固定部材２４が装着される柄本体２３（具体的には上記第１番節１９）の軸方向に沿って形成されている。
この嵌合片２８は、固定部材２４の前面２９から後面３０に向かって所定長さだけ形成されている。つまり、嵌合片２８は、固定部材２４が柄本体２３に装着された状態で、柄本体２３の後端から先端に向かって所定長さだけ形成されている。そして、嵌合片２８の終端部は、固定部材２４との境界壁面３１を構成し、この境界壁面３１は、上記着脱部材２５が後述のようにスライドされる際のストッパー面として機能する。
【００３１】
図４は、着脱部材２５の正面図であり、図５は左側面図である。
着脱部材２５は、金属や合成樹脂等により構成されており、図が示すようにブロック状に形成されている。
着脱部材２５は、挟持部３３と係合部３４とを備えている。挟持部３３は、ブロック状の基部３５を備えており、基部３５に対して略円筒状の部材が連続して設けられている。この円筒状の部材は、薄肉の部材であって、基部３５との間に隙間３７が形成されている。この隙間は、スリット状に形成されており、挟持部３３の軸方向（同図において紙面に垂直な方向）に延びている。
【００３２】
上記タモ枠１４の取付軸１８は、挟持部３３の内部に挿通されるようになっており（図１参照）、取付軸１８は、挟持部３３によって挟持される。このため、挟持部３３は、締結ねじ３６を備えている。したがって、締結ねじ３６が締め込まれると、上記隙間３７が狭められ、上記取付軸１８は、挟持部３３によって確実に支持される。また、締結ねじ３６が緩められると、挟持部３３から上記取付軸１８が抜脱され得る。
【００３３】
係合部３４は、上記基部３５の上面に設けられている。係合部３４の上面には、略逆Ｔ字状の溝３８（スライダ）が設けられている。この溝３８は、上記挟持部３３の軸方向に沿って設けられている。溝３８の内面形状は、上記固定部材２４に形成された嵌合片２８の外形形状に対応しており、嵌合片２８とぴったりと嵌合することができるようになっている。
本実施形態では、溝３８及び上記嵌合片２８は、共に略逆Ｔ字状に形成されており、両者が嵌合することによって両者間に所定の保持力が生じる。つまり、溝３８及び嵌合片２８によって、着脱部材２５が固定部材２４によって保持されるための保持機構が構成されている。
【００３４】
図６は、着脱部材２５と固定部材２４とが連結された状態での連結具１３の正面図である。
同図が示すように、上記溝３８及び上記固定部材２４に形成された嵌合片２８は、上記保持機構を構成すると共に、スライダ−スライドベース機構を構成している。そして、図１が示すように、着脱部材２５が矢印２６に沿って柄本体２３の先端側へ移動されることによって、図６が示すように、嵌合片２８が溝３８に対して相対的にスライドしながら両者が嵌合する。
【００３５】
本実施形態では、嵌合片２８と溝３８とは、所定のはめあいで嵌合するように設定されている。具体的には、両者は所定の締まり嵌めの関係に設定されており、嵌合片２８が溝３８に嵌め合わされたときは、両者間に所定の静摩擦力が生じ、着脱部材２５が容易に固定部材２４から脱落することはない。
なお、この静摩擦力は、１９．６Ｎ（２ｋｇｆ）〜９８．０Ｎ（１０ｋｇｆ）程度に設定されるのが好ましい。この範囲で静摩擦力が設定されれば、着脱部材２５の着脱が困難なものとなることなく、着脱部材２５が不用意に固定部材２４から脱落することもない。
【００３６】
加えて、本実施形態に係る連結具１３では、図１が示すように、タモ枠１４の取付位置は、柄本体２３の中心軸から所定距離だけ離されている。図６が参照されつつ、この点について詳述される。
図６において、ポイントＰ１は、柄本体２３の中心軸の位置を示している。固定部材２４が柄本体２３に装着されることから、嵌合片２８は、ポイントＰ１から当該中心軸に直交する方向（すなわち、柄本体２３の径方向）に離れた位置に配置される。したがって、着脱部材２５の挟持部３３の中心は、嵌合片２８からさらに当該径方向に離れた位置に配置される。
この挟持部３３は、タモ枠１４の取付軸１８を挟持するから、取付軸１８の中心（すなわち、タモ枠１４の取付位置）は、ポイントＰ１から所定距離だけ離れることになる。つまり、タモ枠１４の取付位置Ｐ２は、柄本体２３の中心軸から距離Ｆだけオフセットされる。この距離Ｆは、例えば、２０ｍｍ〜１００ｍｍの範囲に設定される。
【００３７】
本実施形態に係る陸揚用すくい上げ具１０は、次のようにしてセッティングされる。
まず、連結具１３は、予めタモの柄１２及びタモ１１に取り付けられているのが好ましく、上記固定部材２４は、図１が示すように、柄本体２３の第１番節１９の先端部に常時固定しておくことができる。また、上記着脱部材２５は、タモ枠１４の取付軸１８に常時固定しておくことができる。
連結具１３は、着脱部材２５が固定部材２４に対して着脱自在となるように構成されているから、タモ枠１１は、着脱部材２５と共に固定部材２４に対して着脱される。つまり、釣人は、タモ枠１１を柄本体２３に対して自在に着脱することができる。
【００３８】
釣人は、図１が示すように、タモ枠１４に装着された着脱部材２５を矢印２６の方向に沿って柄本体２３の後方から前方に向かって固定部材２４に取り付ける。これにより、タモ枠１４は、柄本体２３の先端から軸方向外方へ突出する姿勢（突出姿勢）となる。すなわち、タモ１１は、タモの柄１２の先端から突出するように配置され、釣人は、タモの柄１２を操作して魚をすくうことができる。
また、釣人は、着脱部材２５を矢印２６の方向に沿って柄本体２３の後方側へスライドさせるようにして簡単に取り外すことができる。そして、釣人は、着脱部材２５を１８０°反転させ、タモ枠１４が柄本体２３の後方側に向く状態で、当該着脱部材２５を矢印２６の方向に沿って柄本体２３の後方から前方に向かって固定部材２４に取り付ける。これにより、タモ枠１４は、柄本体２３の軸方向に沿って後方側へ延びる姿勢（収納姿勢）となる。すなわち、タモ１１は、タモの柄１２に沿って後方側へ折り畳まれたように配置され、釣人は、タモ１１と共にタモの柄１２を容易に携帯することができる。
【００３９】
なお、前述のように、柄本体２３及びタモ枠１４は、既知の構造のものが採用され得る。そして、タモ枠１４の取付軸１８に上記雄ねじが形成され、また、柄本体２３の第１番節１９に上記ねじ穴が設けられた場合は、上記連結具１３の有無にかかわらず、従来と同様に、釣人は、タモ１１をタモの柄１２の先端部に装着することも可能である。
【００４０】
このように本実施形態に係る陸揚用すくい上げ具１０は、連結具１３を備えることによって、タモ１１をタモの柄１２から簡単に突出させ、また、タモの柄１２に沿って簡単且つコンパクトに収納することができるので、釣人は、陸揚用すくい上げ具１０を手軽に携帯することができる。しかも、従来と同様に、釣人は、タモ１１をタモの柄１２から取り外して、別々に携帯することもできる。
【００４１】
また、本実施形態では、固定部材２４の嵌合片２８に対して着脱部材２５の溝３８が相対的にスライドする機構が形成されているので、着脱部材２５の着脱作業は、きわめて簡単である。しかも、上記嵌合片２８及び溝３８は、略逆Ｔ字状に形成されているから、固定部材２４に対して着脱部材２５が容易に保持される。したがって、釣人は、着脱部材２５の固定部材２４に対するスライド操作をするのみで、タモ１１を上記各姿勢に簡単に変更することができるという利点がある。
【００４２】
さらに、上記嵌合片２８と溝３８との間には、前述のような静摩擦力が生じ、着脱部材２５は、不用意に固定部材２４から外れることはない。加えて、嵌合片２８は、図３が示すように所定長さだけ形成されており、上記境界壁面３１が構成されているから、陸揚用すくい上げ具１０の使用中にタモ１１がタモの柄１２から不用意に外れてしまうことはない。
【００４３】
また、図６が示すようように、着脱部材２５は、柄本体２３の中心軸位置（ポイントＰ１）から径方向にずれた位置に配置されている。すなわち、タモ枠１４が柄本体２３の中心軸から距離Ｆだけオフセットされる。したがって、タモ１１が使用されるときに、タモ１１が水中に配置されたとしても、柄本体２３の水中に配置される部分が少なくなり、柄本体２３が受ける水の抵抗は小さくなる。その結果、タモの柄１２の操作性が向上し、陸揚用すくい上げ具１０の使い勝手が良くなる。
【００４４】
次に、本実施形態の変形例について説明される。
図７は、本実施形態の変形例に係る連結具４０の正面図である。
本変形例が上記実施形態と異なるところは、固定部材２４に対して着脱部材２５を固定するためのロック機構４１が設けられている点である。なお、その他の構成については、上記実施形態に係る連結具１３と同様である。
【００４５】
ロック機構４１は、ロック板４２と、固定ねじ４３とを有する。ロック板４２は、金属等からなる平板により構成されている。ロック板４２は、図７が示すようにクランク状に形成されており、その一端部が着脱部材２５の基部３５に固定されている。
ロック板４２の他端部は、固定部材２４の側面に当接されている。ロック板４２の他端部には、固定ねじ４３が挿通される貫通孔（図示せず）が設けられており、上記固定ねじ４３は、この貫通孔に貫通され、固定部材２４にねじ込まれている。これにより、ロック板４２が固定部材２４及び着脱部材２５に固定され、着脱部材２５は、固定部材２４に対してロックされる。
【００４６】
このように、着脱部材２５が固定部材２４にロックされることにより、タモ枠１４が柄本体２３から外れることはなく、釣人が意図せずにタモ１１がタモの柄１２から外れることはない。
なお、本実施形態では、ロック機構４１として上記ロック板４２及び固定ねじ４３が採用されているが、これに限定されるものではなく、既知の種々のロック構造が採用され得るものであることは勿論である。
【００４７】
前述の実施形態及び変形例では、陸揚用すくい上げ具１０について、上記連結具１３の構造を中心にして詳細に開示された。すなわち、連結具１３の固定部材２４が柄本体２３に装着され、着脱部材２５がタモ枠１４に装着されている態様が開示された。しかし、上記連結具１３は、かかる態様の使用に限定されるものではなく、上記連結具１３が上記タモ枠１４又は上記柄本体２３に取り付けられていてもよいことは言うまでもない。
すなわち、本願に係る発明は、上記連結具１３を備えたタモ１１又は上記連結具１３を備えたタモの柄１２として実施され得るものである。
【００４８】
【発明の効果】
以上のように本発明によれば、着脱部材を固定部材に着脱することによって、タモ枠は、タモの柄の柄本体の先端から突出するように取り付けられ、また、所要時には、柄本体に沿って収納される。つまり、タモの使用時には、タモがタモの柄の先端部に取り付けられ、タモの不使用時には、上記着脱部材を脱着することによってタモの柄に沿って収納される。したがって、釣人は、着脱部材を脱着するという簡単な操作で、タモをタモの柄に対してコンパクトに収納することができる。
【００４９】
また、柄本体に対してタモ枠体がオフセットされることにより、タモが使用されるときに、タモが水中に配置されたとしても、柄本体の水中に配置される部分が従来に比べて小さくなるから、柄本体が受ける水の抵抗は小さくなり、タモの柄の使い勝手が非常に良くなる。
【図面の簡単な説明】
【図１】図１は、本発明の一実施形態に係る陸揚用すくい上げ具の分解斜視図である。
【図２】図２は、本発明の一実施形態に係る連結具の固定部材の正面図である。
【図３】図３は、本発明の一実施形態に係る連結具の固定部材の左側面図である。
【図４】図４は、本発明の一実施形態に係る連結具の着脱部材の正面図である。
【図５】図５は、本発明の一実施形態に係る連結具の着脱部材の左側面図である。
【図６】図６は、本発明の一実施形態に係る着脱部材と固定部材とが連結された状態での連結具の正面図である。
【図７】図７は、本発明の一実施形態の変形例に係る連結具の正面図である。
【図８】図８は、従来のタモとタモの柄との一般的な取付関係を示す図である。
【図９】図９は、従来のタモの使用時の状態を模式的に示した図である。
【符号の説明】
１０・・・陸揚用すくい上げ具
１１・・・タモ
１２・・・タモの柄
１３・・・連結具
１４・・・タモ枠
１８・・・取付軸
１９・・・第１板節
２３・・・柄本体
２４・・・固定部材
２５・・・着脱部材
２７・・・貫通孔
２８・・・嵌合片
２９・・・前面
３０・・・後面
３１・・・境界壁面
３３・・・挟持部
３４・・・係合部
３５・・・基部
３６・・・締結ねじ
３７・・・隙間
３８・・・溝
４０・・・連結具
４１・・・ロック機構
４２・・・ロック板
４３・・・固定ねじ
【図１】
2004081141.tif 000003
【図２】
2004081141.tif 000004
【図３】
2004081141.tif 000005
【図４】
2004081141.tif 000006
【図５】
2004081141.tif 000007
【図６】
2004081141.tif 000008
【図７】
2004081141.tif 000009
【図８】
2004081141.tif 000010
【図９】
2004081141.tif 000011